Podtech/llm-jp-corpus-v4-ja_patent huggingface dataset:
(57)【要約】      （修正有）【課題】ライフを長くできる磁気を保持するダイヤモンド切削りチップの開発。【解決手段】ダイヤモンド切削チップに磁気を保持させ、鉄粉などの研磨材を吸着させた状態でコンクリート研削を行なう。硬いコンクリートの研削でもコアの回転で鉄粉などの研磨材がダイヤモンド切削チップの目代わりを行なう。ダイヤモンド切削チップは、目詰まり状態にならないので高温焼けしない。ダイヤモンドチップの切削性能が最後まで持続できる。【選択図】図４
0003130073.tif 000002
【実用新案登録請求の範囲】
【請求項１】
ダイヤモンドコアーのダイヤモンド切削チップに磁気を保持させ鉄粉などの研磨材を吸着した状態で切削を行なう。鉄粉などの研磨材は、磁気の作用でダイヤモンドチップから離れることなく、ダイヤモンド切削チップを削りダイヤ粒子の目出しの役割を行なう。本考案は、磁気を保有するダイヤモンド切削チップ。
【考案の詳細な説明】
【技術分野】
【０００１】  本考案は、コンクリート切削工具に使用するダイヤモンド切削チップに関する。
【背景技術】
【０００２】  従来のダイヤモンド切削チップは、磁気を保持していない。
【考案の開示】
【考案が解消しようとする課題】
【０００３】  硬いコンクリートの切削は、ダイヤの目代わりがしにくい。ダイヤの目代わりが出来なければダイヤモンド切削チップは、目詰まりを起こし摩擦熱が上昇し焼けて切削としての機能を失う。
【課題を解決するための手段】
【０００４】  そこで、ダイヤモンド切削チップに磁気を保持させ、鉄粉などの研磨材を吸着させた状態で切削時にダイヤモンド切削チップの目代わりを行う。
【考案の効果】
【０００５】  硬いコンクリートの切削でダイヤモンド切削チップの目代わりが容易であれば、目詰まりを起こさず本来の切削が持続でき、切削スピードが向上しコストダウンが出来る。
【考案を実施するための最良の形態】
【０００６】  ダイヤモンド切削チップのコンクリート切削面側を磁気のＮ極、反対側をＳ極。もしくは、Ｎ極，Ｓ極逆でも良い。
【図面の簡単な説明】
【０００７】
【図１】  ダイヤモンドコアードリル側面図
【図２】  切削におけるダイヤモンドコア断面図
【図３】  ダイヤモンドコア側面図
【図４】  ダイヤモンド切削チップ図
【符号の説明】
【０００８】１      ダイヤモンドコアードリル本体
２      ダイヤモンドコア
３      コンクリート
４      ダイヤモンド切削チップ
５      コンクリート切削面
６      鉄粉などの研削材
【図１】
0003130073.tif 000003
【図２】
0003130073.tif 000004
【図３】
0003130073.tif 000005
【図４】
0003130073.tif 000006
【手続補正書】
【提出日】平成18年12月4日(2006.12.4)
【手続補正１】
【補正対象書類名】実用新案登録請求の範囲
【補正対象項目名】全文
【補正方法】変更
【補正の内容】
【実用新案登録請求の範囲】
【請求項１】
本考案は、鉄粉などの研磨材を吸着させて切削の促進やダイヤの目だしを行なうことにおいて、磁気を有するダイヤモンド切削チップ。
(57)【要約】      （修正有）【課題】従来の角質化した皮膚の除去用品はあまりにも不完全。もっと容易に確実に除去する。【解決手段】履くだけで知らない間に確実に踵の角質を除去してしまう研磨材を含有した樹脂Ａを印刷する靴下。【選択図】図１
0003130075.tif 000002
【実用新案登録請求の範囲】
【請求項１】
角質化した皮膚の除去を助ける為に内側（踵部分）に研磨材（細目の砂状の物）を混ぜ込んだ  アクリル製樹脂をプリントした靴下。
【考案の詳細な説明】
【技術分野】
【０００１】靴下の内側の踵部分に研磨材質を含んだ樹脂を施す（印刷する）
【背景技術】
【０００２】極細の研磨剤は糊を使わなくてもよく混ざる。【０００３】アクリル製樹脂はどんな素材にもプリント（印刷）可能である．【０００４】このプリントは洗濯に耐えうる。
【考案の開示】
【考案が解決しようとする課題】
【０００５】従来の角質化した皮膚の除去靴下は、温めて保湿保温による柔らかい皮膚を目指すだけの物であった。それを外せば
元の硬い皮膚に戻る。軽石や手で行う物理的除去用品は、当人が面倒になればその時点で終わる。
踵の角質は冬に一段強張るので  サンダルやヘップでは対応できない。
【課題を解決するための手段】
【０００６】そこで  履くだけで知らない間に確実に踵の角質を除去してしまう研磨材を含有した樹脂を印刷する靴下を考案した。
【考案の効果】
【０００７】続けて履けば必ず短期間で除去できる。
【考案を実施するための最良の形態】
【０００８】靴下の踵部分（内側）  図１−Ａが示す様に踵を取り巻くやや大きめの印刷を施す。
【実施例１】
【０００９】試作品を装着して短時間で踵が白くなる。これは、効果現象他ならない。
【産業上の利用可能性】
【００１０】勿論これだけの効果であるから  肘、膝の角質皮膚にも応用は効く。
【図面の簡単な説明】
【００１１】
【図１】横から見た靴下
【図２】上から見た靴下
【図３】後ろから見た靴下
【符号の説明】
【００１２】Ａ        研磨剤含有の樹脂を施した部分
【図１】
0003130075.tif 000003
【図２】
0003130075.tif 000004
【図３】
0003130075.tif 000005
【手続補正書】
【提出日】平成18年12月6日(2006.12.6)
【手続補正１】
【補正対象書類名】実用新案登録請求の範囲
【補正対象項目名】全文
【補正方法】変更
【補正の内容】
【実用新案登録請求の範囲】
【請求項１】
角質化した皮膚の除去を助ける為に踵部分の内側に研磨材を混ぜ込んだアクリル製樹脂をプリントした靴下。
(57)【要約】【課題】背あてまくらにより背中、腰にかかる負担を軽減する。【解決手段】平らなクッション座布団に取り付けた３つの細長ポケットの２ヶ所に巻きタオルを入れた別造りの細枕を２本差し込んで使用する。背中型はそのまま縦にして、ポケットの両サイドを使用し、真ん中のポケットは使わない。腰型は横にして、中段と下段のポケットを使用する。巻きタオルの絞め方により、各個人の体になじむ硬さのまくらを造ることが出来、更に差し込むポケットを移動させることにより、体型に合わせながら凹凸をつくることで、体で圧力を調整し、安定感のある背あてまくらとなる。【選択図】図１
0003130072.tif 000002
【実用新案登録請求の範囲】
【請求項１】
（１）スポンジを入れた座布団に細型まくらを収納するポケットを３つ付け、それにまくらを入れて背あてまくらとして使用する。
（２）まくらの素材はタオルを使用し円筒状に巻き、硬さを自由に調節する。又、まくらのカバー袋は収納や、取り出しを簡単にするため裏生地を使用する。
（３）収納ポケットから、まくらを自由に移動させ、段差をつけることにより背中、腰などへの用途が自由に変更できる。
【考案の詳細な説明】
【技術分野】
【０００１】本考案はクッションと細型まくらを組み合わせて背中の筋肉などの疲労を和らげる背あてまくらに関するもの。
【背景技術】
【０００２】従来は柔らかい素材を使用した背あてクッションがある。
【考案の開示】
【考案が解決しようとする課題】
【０００３】従来の背あて枕は全てクッションとして柔らかく出来ており、それをあてがうことにより、痛みを回避させる目的が多い。
本考案は枕の素材にタオルを使用し、そのタオルを巻き寿司のようにすることにより、背中の筋肉に加圧が生じ、疲労感を和らげるもので、発想が異なる。更にポケットに入れる枕を移動させることにより、自分で加圧する場所を調節できる。
【課題を解決するための手段】
【０００４】スポンジを入れた座布団に細型まくらを収納するポケットを３つ付け、それにまくらを入れて背あてまくらとする。
まくらの素材はタオルを使用し円筒状に巻き、硬さを自由に調節する。
又、まくらのカバー袋は枕のポケットに収納や取り出しを簡単にする為裏生地を使用する。
ポケットからまくらを自由に移動させ、段差を付けることにより背中、腰の圧力を加える箇所を調節することができる。
【考案の効果】
【０００５】従来のクッションだと背中への感触が柔らかいため、フワーっとした心地はあるが、筋肉の疲労感を和らげることが出来ない。
本考案は枕の適度な硬度とポケットにより枕の場所を移動させ、段差をつけることにより、体重による加圧効果で筋肉のほぐれ感に即効性がある。基本的には食卓の椅子にセットしておけば便利である。
又、車や車椅子の背もたれ、長距離旅行の電車・バスでの使用も手軽である。
【考案を実施するための最良の形態】
【０００６】この考案を実施する者が通常利用頻度が高い椅子の背もたれに、細型まくらをセットして取り付けておく。
取り付けは左右の布ベルトのマジックテープにより、簡単に取り付けが可能。
【実施例】
【０００７】食卓の椅子の背もたれに縦形に設置し、細型まくら２本を、３つのポケットの内、左右に１本ずついれて背中を支える形として使用する。【０００８】軽くて持ち運びが便利なため、まくらポケットのいれる場所を変え、横型にして腰を支える形として車の座席や車椅子にも使用する。
【図面の簡単な説明】
【０００９】
【図１】完成品の正面図である。
【図２】裏側から見た図である。
【図１】
0003130072.tif 000003
【図２】
0003130072.tif 000004
【手続補正書】
【提出日】平成18年12月8日(2006.12.8)
【手続補正１】
【補正対象書類名】実用新案登録請求の範囲
【補正対象項目名】全文
【補正方法】変更
【補正の内容】
【実用新案登録請求の範囲】
【請求項１】
（１）  スポンジを入れた座布団に細型まくらを収納するポケットを３つ付け、それにまくらを入れて背あてくらとして使用する。
（２）  まくらの素材はタオルを使用し円筒状に巻き、硬さを自由に調節する。又、まくらのカバー袋は収納や、取り出しを簡単にするため裏生地を使用する。
（３）  収納ポケットから、まくらを自由に移動させ、段差をつけることにより背中、腰などへの用途が自由に変更できる。
「以上の構成からなる背あてまくら」
(57)【要約】【課題】カラーベスト釘の足に、弾性材を施し、カラーベスト釘の根本からの漏水を防ぐ。【解決手段】  既存のカラーベスト釘の足の部分に弾性材を施したものであって、カラーベストに釘を打ち込んだ時、前述の弾性材がカラーベスト及び下地防水シートの表面に防水効果を発揮し、カラーベスト釘の根本からの漏水という問題解決に役立つ。【選択図】図１
0003130078.tif 000002
【実用新案登録請求の範囲】
【請求項１】
建築用カラーベスト釘であって、釘の足に弾性材を施し、釘を打ち込んだ時、カラーベスト及び下地防水シートの表面に防水効果をもたせ、カラーベスト釘の根本からの漏水を防止することを特徴とする漏水防止カラーベスト釘。
【考案の詳細な説明】
【技術分野】
【０００１】  本思案は、カラーベスト釘に関するものである。
【背景技術】
【０００２】  従来、カラーベストを施工する場合、カラーベスト専用釘を打ち込み固定がなされている。
【考案の開示】
【考案が解決しようとする課題】
【０００３】  従来のカラーベスト釘で、カラーベストを施工した場合、大雨等による、毛管現象が発生した時、釘の根本に防水加工が施されていないため、釘の根本から、下地防水シートに漏水が発生し、さらに下地防水シートの釘打ち込み部分からも、わずかながら漏水が発生し、下地木材に雨水が浸入し、長い年月の間に下地木材を腐食させることがある。【０００４】  本思案は、このような点を鑑みて成されたものであり、その目的はカラーベスト釘の足部分に弾性材を施し、釘を打ち込んだ時、カラーベスト及び下地防水シートの表面に防水効果をもたせ、カラーベスト釘の根本からの漏水を防止することを目的とするものである。
【課題を解決するための手段】
【０００５】  上記の目的を達成する本思案の漏水防止カラーベスト釘は釘の足に施した弾性材によって釘の根本からの漏水を防ぎ、下地木材の腐食という問題を解決している。
【考案の効果】
【０００６】  以上説明したように本思案によれば、カラーベスト釘の根本からの漏水を簡易かつ安価にて防ぎ、下地木材の腐食を防ぐ事ができるので、建築物を長持ちさせるのに役立つ。
【思案を実施するための最良の形態】
【０００７】  以上、本発明の実施の形態を、図面に元づき詳細に説明する。
【０００８】  図１〜図２は、本思案の第一の形態に係り、図１は、その外観斜視図及び透写図、図２は、そのカラーベスト施工実施例図である。
【０００９】  図１に示すように本漏水防止カラーベスト釘は、釘１の足に弾性材２を施したものである。
【００１０】  図２に示すように本思案の実施例を説明する。３はカラーベスト、４下地防水シート、５下地木材を表わしている。
【図面の簡単な説明】
【００１１】
【図１】本思案の漏水防止カラーベスト釘の外観斜視である。
【図２】本漏水防止カラーベスト釘の施工実施例である。
【符号の説明】
【００１２】１  カラーベスト釘２  弾性材３  カラーベスト４  下地防水シート５  下地木材
【図１】
0003130078.tif 000003
【図２】
0003130078.tif 000004
(57)【要約】【課題】  実際の健康管理面に於いて、医学的に歯磨き効果が高く評価されていながら、しかも大気汚染が顕在化している社会環境にも拘らず、従来型の携帯用歯ブラシが広く普及されておらず、本考案は外出時の歯磨き励行を促進させるために、外出時の持参が慣例化している筆記具を兼備することで、その歯磨きと筆記具の利便性を向上させ得た携帯用筆記具内蔵式歯ブラシを提供することである。【解決手段】  万年筆型収納ケース２に連結具９で連結された歯磨き部５及びボールペン部７を内蔵させ、それぞれが離脱着可能な構成としたもので、且つ連結された歯磨き部５とボールペン部７を上下逆にして再嵌着することにより、容易に機能変換を可能とした携帯用筆記具内蔵式歯ブラシを提供するものである。【選択図】図１
0003130076.tif 000002
【実用新案登録請求の範囲】
【請求項１】
万年筆型収納ケース内に歯ブラシ及び歯ミガキ剤容器、並びに筆記具を兼備し得た携帯用筆記具内蔵式歯ブラシの構成。
【請求項２】
万年筆型収納ケースに内蔵される歯ブラシ部及び筆記具を連結固定させた離脱着可能な部品構成。
【考案の詳細な説明】
【技術分野】
【０００１】  歯ブラシ及び筆記具の機能を兼備することによる利便性の向上を実現させた携帯用筆記具内蔵式歯ブラシの提供である。
【背景技術】
【０００２】  社会の近代化が著しく進展した反面、大気汚染や悪性ウィルスの派生が懸念される社会環境を生み出し、且つ行楽及び外食機会もその社会変化に比して急増し、個人は元より社会的にも健康衛生管理面が強く意識されて来ている。従来型の携帯用歯ブラシは、簡易的な折りたたみ式又は万年筆型による歯磨き専用機能の構成で、外出の度ごとに胸ポケット等に筆記具と共に２本以上の用具を持参又は挿着させねばならず、しかも忘れがちともなり、その利便性に難点があった。外食後の歯磨き励行の必要性が高く評価されながらも、そこに広く普及されない一因がある。
【考案の開示】
【考案が解決しようとする課題】
【０００３】  本考案は口内予防衛生及び健康管理の一環として、歯磨き効果とその歯ブラシの携帯性に着目し、外食後の歯磨き励行の促進を目途とする携帯性及びその利便性を兼備し得た携帯用筆記具内蔵式歯ブラシを提供する。
【課題を解決するための手段】
【０００４】  外出時に於ける筆記具の携帯特性に着目し、万年筆型収納ケース内に歯磨きと筆記具を兼備させた構成とし、歯磨きと筆記具は連結具により固定化され、その連結固定された歯磨きと筆記具を万年筆型収納ケースから取出し、上下逆にして万年筆型収納ケース内に再嵌着することで、容易に機能変換を可能とした携帯用筆記具内蔵式歯ブラシを提供するものである。
【考案の効果】
【０００５】  本考案は胸ポケット等に容易に挿着、携帯することが可能で、且つ歯磨きと筆記具の機能を兼備させることにより、外出先での利便性が向上し、外食後の歯磨き励行が促進され、衛生管理面に於いて寄与するところ大であり、元より医療行政の改善並びに医療費削減効果にも期待できる。
【考案を実施するための最良の形態】
【０００６】  本考案の実施例を、添付図面を参照にして説明する。
【実施例】
【０００７】  図１は、携帯時における断面図で、万年筆型キャップ１と万年筆型収納ケース２に内蔵される歯ブラシ部５及びボールペン部７とそれらを連結する連結具９で構成され、歯ブラシ部５に具備される挟込み式の歯磨き剤収納ケース支持具１２で歯磨き剤収納ケース１３が保持される。内蔵される歯ブラシ部５及びボールペン部７の連結具９は、万年筆型収納ケース２の凸形の支持部４にて嵌着される。
携帯の際には、万年筆型キャップ１に具備されるクリップ３でポケット等へ容易に挿着することができる。【０００８】  図２は、図１から万年筆型キャップ１及び歯磨き剤収納ケース１３並びに歯磨き剤収納キャップ１４を離脱させた歯磨きする際の断面図である。
歯磨きする際には、歯磨き剤収納ケース支持具１２から歯磨き剤収納ケース１３を取出し、歯磨き剤収納キャップ１４を外して、歯磨き剤収納ケース１３を押しながら歯磨き剤１５をブラシ６へ塗布する。後は、通常の歯磨きと同様にして枝となる万年筆型収納ケース２を持ちながら歯磨きする。歯磨き剤収納ケース１３は、簡素な形状復元可能な筒構造とし、家庭用歯磨きチューブから容易に歯磨き剤を再充填することができる。【０００９】  図３は、ボールペン機能を使用する際の断面図である。
連結具９で連結された歯ブラシ部５とボールペン部７が図２と上下逆にて万年筆型収納ケース２へ再嵌着したものである。【００１０】  図４は、連結具９で連結された歯ブラシ部５とポールペン部７を万年筆型収納ケース２から取り出した立面図である。
ボールペン心棒８はボールペン部７へ嵌合される。連結具９の両端螺子構造１０及び１１は、歯ブラシ部５とボールペン部７を連結固定している。この連結部９の凸部は、万年筆型収納ケース２の支持部４の位置にて嵌着される。歯ブラシ部５とボールペン部７は消耗品として部品交換する際に於いて、連結具９から離脱着される。
【図面の簡単な説明】
【００１１】
【図１】：携帯時の断面図
【図２】：歯磨き使用時の断面図
【図３】：ボールペン使用時の断面図
【図４】：連結された歯ブラシ部とボールペン部の立面図
【符号の説明】
【００１２】  １    万年筆型キャップ
２    万年筆型収納ケース
３    クリップ
４    支持部
５    歯ブラシ部
６    ブラシ
７    ボールペン部
８    ボールペン心棒
９    連結具
１０  歯ブラシ螺子込み部
１１  ボールペン螺子込み部
１２  歯磨き剤収納ケース支持具
１３  歯磨き剤収納ケース
１４  歯磨き剤収納キャップ
１５  歯磨き剤
【図１】
0003130076.tif 000003
【図２】
0003130076.tif 000004
【図３】
0003130076.tif 000005
【図４】
0003130076.tif 000006
【手続補正書】
【提出日】平成18年12月7日(2006.12.7)
【手続補正１】
【補正対象書類名】実用新案登録請求の範囲
【補正対象項目名】全文
【補正方法】変更
【補正の内容】
【実用新案登録請求の範囲】
【請求項１】
万年筆型収納ケース内に歯ブラシ及び歯ミガキ剤容器、並びに筆記具を兼備し得た携帯用筆記具内蔵式歯ブラシ。
【請求項２】
万年筆型収納ケースに内蔵される歯ブラシ部及び筆記具を連結固定させた離脱着可能な携帯用筆記具内蔵式歯ブラシ。
(57)【要約】【課題】従来の魚類飼育用水槽は長期間飼育を行うと魚介類の排泄物や食べ残しの飼料などが分解されて魚類に有害なアンモニアが発生、蓄積するため、短期間で水槽の水を交換する必要があった。【解決手段】竹炭を水質浄化材として利用することによって、竹炭に生息する微生物に有機物から発生するアンモニアを分解させ、魚類にとって比較的無害な硝酸塩に還元し、水槽内で発生したアンモニア、硝酸塩等は、水槽と一体化して設置されたプランターに植栽した植物に養分として吸収させる。【選択図】図１
0003130947.tif 000002
【実用新案登録請求の範囲】
【請求項１】
水生動植物飼育用水槽と竹炭を植栽基盤として用いた植物水耕栽培用プランターと竹炭を有する水質浄化材からなることを特徴とする、植物の水耕栽培用プランターと一体式の水生動植物飼育用水槽。
【請求項２】
水槽の水質浄化材と水耕栽培の植栽基盤に粒径５ｍｍ〜１０ｍｍ程度の竹炭を用いた、請求項１記載の竹炭を水質浄化材として使用した、植物の水耕栽培用プランターと一体式の水生動植物飼育用水槽。
【考案の詳細な説明】
【技術分野】
【０００１】この考案は、魚飼育に使用する水槽の形状と水質浄化に関する。
【背景技術】
【０００２】従来の魚類飼育用水槽は長期間飼育を行うと魚介類の排泄物や食べ残しの飼料などが分解されて魚類に有害なアンモニアが発生するため、短期間で水槽の水を交換する必要があった。
【考案の開示】
【考案が解決しようとする課題】
【０００３】従来の技術では短期間で水槽の水質が悪化するため、定期的に水を交換する必要があった。そこで本考案は水質を浄化安定させ、水槽の水の交換サイクルを長く保ち、水の交換にかかる手間を軽減することを課題とする。
【課題を解決するための手段】
【０００４】本考案のうち請求項１の魚類飼育用水槽は竹炭を水質浄化材として、水槽内の水を竹炭の層を通過させて水を循環させることで、竹炭の持つ多数の微細な孔に排泄物等の有機物を吸着させて、さらに竹炭に生息する微生物によって有機物から発生するアンモニアを分解し魚類に比較的無害な硝酸塩に還元する。
水槽内で発生したアンモニア、硝酸塩等は植物に養分として吸収させる。
使用する竹炭は、請求項２の粒径５ｍｍ〜１０ｍｍ程度のものを用いることが望ましい。
【考案の効果】
【０００５】本考案は次のような効果を奏する。
請求項１の植物の水耕栽培用プランターと一体式の魚飼育用水槽を使用することによって、限られたスペースで魚類の飼育と植物の水耕栽培を同時に行うことが出来る。また竹炭に棲みつく微生物による水質浄化作用によって水の交換の頻度を少なくすることが出来る。
【考案を実施するための最良の形態】
【０００６】本考案の一実施形態を図１に示す。
魚飼育用の水槽１の上部に植物育成用のプランター２を設置し、外部ポンプ及びフィルター３によって水槽水４をプランター２に送り、プランター２の底部の水抜き穴９より水槽に戻る。プランター２の植栽基盤部分には粒状の竹炭８を使っており、水質の浄化と植物の微量栄養素の供給源となっている。外部ポンプ及びフィルター３の内部には従来の濾過フィルターの代わりに粒状の竹炭８が水質浄化材として使用している。水槽１で魚類及び水生植物５を育成し、プランター２には植物６を育成する。また日照条件等を考慮し、必要であれば植物育成用照明７を設置する。
【実施例】
【０００７】
【産業上の利用可能性】
【０００８】
【図面の簡単な説明】
【０００９】
【図１】この考案の一実施形態を示す図である。
【図２】図１で示したプランター２の断面図である。
【符号の説明】
【００１０】
【００１１】１  魚飼育水槽                ２  植物水耕栽培用プランター
３  外部ポンプ及びフィルター  ４  水槽水
５  魚類及び水生植物          ６  植物
７  植物育成用照明            ８  粒状の竹炭
９  水抜き穴
【図１】
0003130947.tif 000003
【図２】
0003130947.tif 000004
【手続補正書】
【提出日】平成18年11月18日(2006.11.18)
【手続補正１】
【補正対象書類名】実用新案登録請求の範囲
【補正対象項目名】全文
【補正方法】変更
【補正の内容】
【実用新案登録請求の範囲】
【請求項１】
上部に植物水耕栽培用プランターを設置した水生動植物飼育用水槽と、外部循環ポンプからなり、水槽内の水が外部循環ポンプによってプランター部に汲み上げられ、プランター植栽基盤部分を流下した水が水槽に戻ることにより水を循環させることを特徴とする、植物の水耕栽培用プランターと一体式の水生動植物飼育用水槽。
【請求項２】
請求項１の水槽上部に設置したプランター部の植栽基盤と、外部循環ポンプ内のろ過フィルターに粒径５ｍｍ〜１０ｍｍ程度の竹炭を使用することで、水質浄化能力を向上させたことを特徴とする、植物の水耕栽培用プランターと一体式の水生動植物飼育用水槽。
(57)【要約】      （修正有）【課題】従来の角質化した皮膚の除去用品はあまりにも不完全のため、容易に確実に除去出来る硬皮膚除去履物を提供する。【解決手段】角質化した皮膚を温めたり保湿により、一時的なごまかしではない手段で除去出来る素材を引用した。【選択図】図１
0003130948.tif 000002
【実用新案登録請求の範囲】
【請求項１】
角質化した足裏（踵）を容易に除去する為の履物
【考案の詳細な説明】
【技術分野】
【０００１】履物（サンダル、ヘップ、靴等）の中底の踵部分に研磨材質の物を施す。
【背景技術】
【０００２】履物の中底踵部に研磨布を用いる。【０００３】履物の中底踵部に研磨材をコーテングする。
【考案の開示】
【考案が解決しようとする課題】
【０００４】従来の角質化した皮膚の除去用品は、温めて保湿保温による柔らかい皮膚を目指すだけの物であった。それを外せば元の硬い皮膚に戻る。軽石や手で行う物理的除去用品は、当人が面倒になればその時点で終わる。
【課題を解決するための手段】
【０００５】そこで  履くだけで知らない間に確実に踵の角質を除去してしまう研磨材を施した中底を有する履物を考案した。
【考案の効果】
【０００６】続けて履けば必ず短期間で除去できる。
【考案を実施するための最良の形態】
【０００７】履物の踵部分  図１−Ｂが示す様に踵が常時滑り込む様な傾斜を施す事が効果的である。
【実施例１】
【０００８】試作品を装着して１分もすれば踵が白くなる。これは、効果現象他ならない。
【産業上の利用可能性】
【０００９】勿論これだけの効果であるから  肘、膝の角質皮膚にも応用は効く。
【図面の簡単な説明】
【００１０】
【図１】横から見たヘップ
【図２】上から見たヘップ
【図３】後ろから見たヘップ
【符号の説明】
【００１１】Ａ        ヘップの中底部分
Ｂ        傾斜をつけた踵部分
Ｃ（傾斜部）研磨材を施した部分
【図１】
0003130948.tif 000003
【図２】
0003130948.tif 000004
【図３】
0003130948.tif 000005
【手続補正書】
【提出日】平成18年10月2日(2006.10.2)
【手続補正１】
【補正対象書類名】実用新案登録請求の範囲
【補正対象項目名】全文
【補正方法】変更
【補正の内容】
【実用新案登録請求の範囲】
【請求項１】
角質化した皮膚の除去を助ける為に中底の踵部分の上面に研磨材（砂状の物）を施した構造を有する履物
【手続補正書】
【提出日】平成18年12月8日(2006.12.8)
【手続補正１】
【補正対象書類名】実用新案登録請求の範囲
【補正対象項目名】全文
【補正方法】変更
【補正の内容】
【実用新案登録請求の範囲】
【請求項１】
角質化した皮膚の除去を助ける為に中底の踵部分の上面に砂状の研磨材を施した構造を有する履物
(57)【要約】      （修正有）【課題】水上オートバイ等の船舶操縦者が落水時に船舶の原動機を緊急停止させるテザーコード端部のホルダー部の着脱を容易にし、落水時のテザーコード作動時における手首の圧迫感を軽減させ、且つホルダー部に浮力を持たせテザーコードの水没による紛失を防止する。【解決手段】テザーコード端部のホルダー部を従来のループ状からベルクロテープを使用した巻きつけ式にし着脱を容易にし、ホルダー部の幅を従来の３倍程度にすることにより、落水時のテザーコード作動時における手首への圧迫感を軽減し、且つホルダー部素材をネオプレーンを採用する事により浮力を持たせた事によりテザーコードの水没による紛失を防止する。【選択図】図１
0003130946.tif 000002
【実用新案登録請求の範囲】
【請求項１】
水上オートバイ等の船舶操縦者が落水時に船舶の原動機を緊急停止させる為のテザーコード端部を、操縦者と結ぶホルダー部を容易に着脱しやすくし、ホルダー部の幅を拡げることにより手首への圧迫感を軽減し且つ、ホルダー部に浮力を持たせる事によりテザーコードの水没による紛失を防ぐ事を特徴としたテザーコードホルダー器具。
【考案の詳細な説明】
【技術分野】
【０００１】本考案は水上オートバイ等の操船時における、操縦者落水時のエンジン停止装置作動用テザーコード操縦者装着部に関する。
【背景技術】
【０００２】従来のテザーコード操縦者装着部のホルダーはループ状の物に手首を通す形状であり装着が容易ではなく、その上、幅が狭く落水時にテザーコードを作動させる為に引き抜く動作の際、手首を締め付けられる圧迫感があった。又、ホルダー部単体では水に浮かず沈んでしまう等不具合があった。
【考案の開示】
【考案が解決しようとする課題】
【０００３】テザーコード操縦者装着部のホルダーを着脱しやすくする事。テザーコード作動時に手首の圧迫感を軽減する事。ホルダー部単体に浮力を持たせ、水に浮くようにする事。
【課題を解決するための手段】
【０００４】ホルダーを装着しやすくする為、従来のループ形状に手首を通す形状ではなく、ベルクロを用いた巻きつけタイプに変更する。ホルダー部の幅を従来の物の３倍程度に広げる。そして、素材をウエットスーツと同素材のネオプレーンにする。
【考案の効果】
【０００５】  ベルクロを用いた巻きつけタイプに変更したため、装着時の簡便性が大幅に向上した。又、ベルクロ端部につまみ部分を装着した事により外す動作も容易になった。ホルダー部の幅を従来の物の３倍程度に拡げた結果、落水時のテザーコード作動時の手への圧迫感が大幅に軽減した。素材をウエットスーツと同素材とした事により、単体でも水に浮き水没による紛失の危険を軽減させることが出来た。
【図面の簡単な説明】
【０００６】
【図１】本体を表側から示した図である。
【図２】本体を裏側から示した図である。
【符号の説明】
【０００７】［１］着脱用つまみ部分［２］ホルダー部本体（表面全面ベルクロテープ♀側圧着接合）［３］テザーコード取り付け用Ｄ型リング［４］Ｄ型リング本体固定用部分
【０００８】［図２］［１］ホルダー部本体（ネオプレーンスキン）［２］Ｄ型リング本体固定用縫製部分［３］ベルクロテープ♂側縫合接合部［４］着脱用つまみ部分
【図１】
0003130946.tif 000003
【図２】
0003130946.tif 000004
【手続補正書】
【提出日】平成18年9月15日(2006.9.15)
【手続補正１】
【補正対象書類名】実用新案登録請求の範囲
【補正対象項目名】全文
【補正方法】変更
【補正の内容】
【実用新案登録請求の範囲】
【請求項１】
水上オートバイ等の船舶操縦者が、落水時に船舶の原動機を緊急停止させる為のテザーコード端部を操縦者と結ぶホルダー部を図１−１、図１−２及び図２−３、図２−４の組み合わせにより容易に着脱しやすくし、図２−１のホルダー部本体の幅を拡げることにより手首への圧迫感を軽減し且つ、図２−１本体部分の素材にネオプレーンスキンを使用する事によりテザーコードの水没による紛失を防ぐ事を特徴としたテザーコードホルダー器具。
【手続補正書】
【提出日】平成19年1月9日(2007.1.9)
【手続補正１】
【補正対象書類名】実用新案登録請求の範囲
【補正対象項目名】全文
【補正方法】変更
【補正の内容】
【実用新案登録請求の範囲】
【請求項１】
水上オートバイ等の船舶操縦者が落水時に船舶の原動機を緊急停止させる為のテザーコード端部を、操縦者と結ぶホルダー部を従来品はループ状のホルダー部を拡幅しながら手首に装着する構造をベルクロを使い手首に装着する構造に変更、又手首への圧迫感軽減及びテザーコードの水没による紛失を防ぐ為ホルダー部の幅を従来品平均２５ｍｍであった物を５５ｍｍ幅に拡げ、素材に肌当たりが良く浮力のあるネオプレーンを用いるを特徴としたテザーコードホルダー器具。
(57)【要約】      （修正有）【課題】間伐材を球状にした物を、足裏で転がすことにより血行を良くし、足の疲れをやわらげる事だけにとどまらず、不眠解消、リラックス効果等に良い足裏マッサージ用健康グッズの提供。【解決手段】足裏マッサージをする球体１に紐２を付け、マット３に固定する事により、遠くに転がる心配もなく、オフィス、家庭等で手軽に使用できる。【選択図】図１
0003130983.tif 000002
【実用新案登録請求の範囲】
【請求項１】
ムクの国産木材を４０ｍｍサイズの球体し、中心に穴を開け紐を取り付け、紐の反対側をマットに固定した足裏マッサージ用の健康エコグッズ。
【考案の詳細な説明】
【考案の詳細な説明】
（１）
【技術分野】
【０００１】  本考案は間伐材を球状にした物を、足裏で転がすことにより血行を良くし、足の疲れをやわらげる事だけにとどまらず、不眠解消、リラックス効果等に良い健康グッズである。
（２）
【背景技術】
【０００２】  従来の技術にあっては、手指の運動・リハビリの為に手で握って使用する商品や、足裏を刺激するマット等は存在している。
（３）
【考案の開示】
【考案が解決しようとする課題】
【０００３】  エコノミークラス症候群・時差ぼけ防止、リハビリでゴルフボールによる足裏マッサージ、または、それに類する商品は存在しているが、もっと使いやすい物が望まれる。
【課題を解決するための手段】
【０００４】  足裏マッサージをする球体に紐を付け、マットに固定する事により、遠くに転がる心配もなく、オフィス、家庭で手軽に使用できる健康グッズとすることができる。
【考案の効果】
【０００５】  本考案は国産無垢材の間伐材を利用・使用する事により、自然素材を活用した環境共生商品であり、ボールに穴を開け紐を付ける事により、身体から離れず使用できる。
家庭においては、マットが滑らないようになっているので床に固定して使用でき、マットにより床が傷付く心配もない。オフィス等では、足元に置いていつでも手軽に使用可能である。
（４）
【考案を実施するための最良の形態】
【０００６】  ムクの国産木材を４０ｍｍサイズの球体とし、中心に穴を開け紐を取り付け、紐をマットに固定。
【実施例】
【０００７】  椅子に座った状態で、片足ずつ使用する。ボールの上に足を乗せ、適度に力を入れ、コロコロと前後左右に転がします。
【図面の簡単な説明】
【００８】
【図１】
0003130983.tif 000003
【図２】
0003130983.tif 000004
【符号の説明】
【００９】  １  木球
２  紐
３  マット
４  ハトメ穴
【図１】
0003130983.tif 000005
【図２】
0003130983.tif 000006
(57)【要約】      （修正有）【課題】カード入れの収納部に指を挿入してカードを引き出すというような面倒な操作を必要とせず、極めて簡単且つ迅速にカードを引き出す。【解決手段】カード入れ本体に、カード収納部から蓋に至るカード押し出し帯を装着し、カード入れの蓋を開けると同時にカード押し出し帯が蓋に引き上げられ、それと同時にカード押し出し帯に支えられているカードが引き出される。【選択図】図１
0003130966.tif 000002
【実用新案登録請求の範囲】
【請求項１】
カード引き出し装置を備えたカード入れ。
【考案の詳細な説明】
【技術分野】
【０００１】  本考案は、カード引き出し装置を備えたカード入れに関するものである。
【背景技術】
【０００２】  従来のカード入れは、カード収納部に指を挿入してカードを引き出すというような面倒な操作を必要としていた。
【考案の開示】
【考案が解決しようとする課題】
【０００３】  カード収納部に指を挿入してカードを引き出すというような面倒な操作を必要とせず、極めて簡単且つ迅速にカードを引き出す事を解決しようとするものである。
【課題を解決するための手段】
【０００４】  本考案は、カード収納部から蓋に至るカード押し出し帯を装着し、カード入れの蓋を開けると同時にカード押し出し帯が蓋に引き上げられ、それと同時にカード押し出し帯に支えられているカードが引き出されることにより解決している。
【考案の効果】
【０００５】  上述のように、本考案のカード引き出し装置付きカード入れはカード入れ蓋を開けると同時にカードが引き出される事により、カード収納部に指を挿入してカードを引き出すというような面倒な操作を必要としなくなる。
【考案を実施するための最良の形態】
【０００６】  本考案の引き出し装置をカード入れに装着することにより、指を挿入してカードを引き出すというような面倒な操作を必要としなくなる。
【実施例】
【０００７】  以下、添付図面に従って一実施例を説明する。カード入れ本体にカード押し出し帯を装着すると、図１Ｃに示すように蓋を開ける事でカード押し出し帯がカードを収納部より押し出す。
【図面の簡単な説明】
【０００８】
【図１】  本考案のカード引き出し装置を示す平面図及び断面図である。
【図１】
0003130966.tif 000003
【手続補正書】
【提出日】平成19年1月10日(2007.1.10)
【手続補正１】
【補正対象書類名】実用新案登録請求の範囲
【補正対象項目名】全文
【補正方法】変更
【補正の内容】
【実用新案登録請求の範囲】
【請求項１】
カード入れ本体内部を貫通してカード入れ蓋にホック等で連結されたカード引き出し帯をそなえたカード入れ。
(57)【要約】      （修正有）【課題】厚手の布や縫い目の重なった部分に針が通らない時、押したり、引いたりするゴム付針押し具を提供する。【解決手段】硬質な材質に針穴を設け後部にゴム管を設け、つまみ部に針頭の滑り止めを設けた、押したり引いたり出来る事を特徴とするゴム付針押し具。【選択図】図１
0003130962.tif 000002
【実用新案登録請求の範囲】
【請求項１】
硬質な針の通らない物質に針挿入口を設け、後部にゴムを設け、つまみ部に針頭の滑り止めを設け、針を押したり引いたり出来ることを、特徴とするゴム付針押し具。
【考案の詳細な説明】
【技術分野】
【０００１】  本考案は、厚手の布や、縫い目の重なった部分に針が通らない時に使用する縫針を押したり引いたりすることができるゴム付針押し具に関するものである。
【背景の技術】
【０００２】  従来、針が通らない時には指皮を利用した物は、多く見られる又針をひっぱる物として、別途シリコンを利用している。
【考案の開示】
【考案が解決しようとする課題】
【０００３】  そのために次のような問題点があった。
（イ）針が通らない時には布を何重にも折り曲げて針を押すと針の頭が布を通り抜け押し    た指に刺さる事があった。
（ロ）紙を折り曲げたり、硬質なもので押すと針が滑ったり、折れたりすることがある。
本考案は、以上の問題点を解決するために、なされたものである。
【課題を解決するための手段】
【０００４】  硬質の材質に針押し穴を設け、つまみ部側面に針の滑り止めに浅い針穴を設け後部にゴム管を設け、
以上を特徴とするゴム付針押し具である。
【考案の効果】
【０００５】  折れたり、指を痛めたり、することなくスムーズに布地に針を通す事が出来る。
【考案を実施するための最良の形態】
【０００６】  以下、本考案の実施の形態を説明する。
針挿入口（２）は大、小とし、つまみ部（１）に針滑り止め（５）を設け後部ゴム管取付部に（４）ゴム管（３）を設ける。
本考案は、以上のような構造である。
本考案を使用するときは、針が厚手の布部分に通らない時、針挿入口（２）に針頭を入れ、つまみ部（１）を指先でつまみ、ゴム管取付部（４）を手の平に当て、静かに針を押すとスムーズに針を通す事が出来るまた針先をひっぱる時は、ゴム管（３）に針先をいれゴム管をひっぱると針を抜く事が出来る。
又、針が押しきれないときには、針頭滑り止め（５）を針の頭に当てて押すとしかりと針を押す事が出来る。
【図面の簡単な説明】
【０００７】
【図１】本考案の斜視図
【図２】本考案の使用状態を示した側面図
【符号の説明】
【０００８】１  つまみ部
２  針挿入口
３  ゴム管
４  ゴム管取付部
５  針頭滑り止め
６  指先
７  手の平
８  針
９  厚手の部分
【図１】
0003130962.tif 000003
【図２】
0003130962.tif 000004
【手続補正書】
【提出日】平成19年1月10日(2007.1.10)
【手続補正１】
【補正対象書類名】実用新案登録請求の範囲
【補正対象項目名】全文
【補正方法】変更
【補正の内容】
【実用新案登録請求の範囲】
【請求項１】
硬質な針の通らない物質で作ったつまみ部（１）に針挿入口（２）を設け、針挿入口（２）は、約２ｍｍと約３ｍｍで、深さが約５ミリと約７ミリで、後部にゴム管取り付け部（４）を設け、取り付け部（４）に中空状のゴム管（３）を設け、つまみ部（１）の表面の一部に滑り止め（５）を設け、針を押したり引いたり出来ることを、特徴とするゴム付針押し具。
(57)【要約】      （修正有）【課題】（バス）タオルを使用し、下着の代用とする。【解決手段】（バス）タオルの中心に穴を開け、その穴へ首を通すようにした。【選択図】図１
0003130965.tif 000002
【実用新案登録請求の範囲】
【請求項１】
（バス）タオルを利用した吸汗インナー
【考案の詳細な説明】
【考案の開示】
【考案が解決しようとする課題】
【０００１】従来、スポーツや仕事の後、または病人等の介護において、本人や対象者が汗をかくなどして下着を交換する時、その度に起き上がって下着を交換する必要があった。また、下着の上に他の衣類を何枚も着ている時に汗をかけば、それらをわざわざ脱いで下着を交換しなければならないという問題点を有していた。
【課題を解決しようとする手段】
【０００２】上記目的を達成するために、（バス）タオルを使用し、その中心に穴を開け、その穴に首を通すようにした。
【考案の効果】
【０００３】インナーを交換する際、寝そべった状態でも取り外すことができる。
インナーの上に他の衣類を何枚も着ていても首の所からインナーを引っ張り出して取り外すことができる。
タオル（綿素材）を使用しているため保温効果があり、吸汗率は高い。
幼児ならよだれ前掛けとしても代用できる。
【図面の簡単な説明】
【０００４】
【図１】インナーの展開図である。符号２と符号３の凸凹スナップを合わせれば、体からずれにくくなる。
【図２】インナーに首を通した時の形（図）である。
【符号の説明】
１    （バス）タオル
２    凸型スナップ
３    凹型スナップ
【図１】
0003130965.tif 000003
【図２】
0003130965.tif 000004
【手続補正書】
【提出日】平成18年12月7日(2006.12.7)
【手続補正１】
【補正対象書類名】実用新案登録請求の範囲
【補正対象項目名】全文
【補正方法】変更
【補正の内容】
【実用新案登録請求の範囲】
【請求項１】
・中央部分に穴を開けた長方形のタオルまたはバスタオルからなる吸汗インナー。
(57)【要約】【課題】ヨークを一枚にして、肩部の通気性を改善したものを維持しながら、さらに、台えり部の涼感性の改善を図ることにより、ビジネスシャツの着用者に、涼しさを実感してもらう。【解決手段】外気温湿度の高い季節に涼感を得るためのシャツ１に関し、肩部分を成すヨーク２を一枚の衣料生地で形成し、さらに首にあたる台えり３部分に通気性が良く、衿元の汗等を吸水し易い性質のある芯地３ｂを用いる。【選択図】図１
0003130969.tif 000002
【実用新案登録請求の範囲】
【請求項１】
外気温湿度の高い季節に涼感を得るためのシャツであって、肩部分を成すヨークを一枚の衣料生地で形成し、さらに首にあたる台えり部分に通気性が良く、衿元の汗等を吸水し易い性質のある芯地を用いたことを特徴とするシャツ。
【考案の詳細な説明】
【技術分野】
【０００１】  本考案は、シャツに関するものである。
【背景技術】
【０００２】  外気温度の高い夏期などに、とくにシャツを着用する場合、アロハシャツなどといった根本的なデザイン変更により涼しさを確保したシャツとは異なり、得意先などを訪問するにあたり先方に不適切な印象を与えないためにも、従来からの慣習的なシャツが着用されてきている。そして、該慣習的なシャツは、肩部分から衿部分にかけて、立体感を作出すための保形性を維持することを目的として、生地を重ね合わせ作成されている。【０００３】  だが、このように生地を二枚重ね合わせることで、当該部分の通気性が悪化し、放熱が妨げられている。そこで、シャツの従来からのデザインを変更せずに、肩部分の生地を一枚にして、通気性の改善を図った（実用新案登録番号３０７７４８６）ものがある。
【考案の開示】
【考案が解決しようとする課題】
【０００４】  確かに、該考案によって、肩部分の通気性は改善され、涼しさは確保できるようになったが、シャツ着用時最も不快に感じる首に直接あたる台えり部分の改善は、まだされていない。【０００５】  本考案は、上述の実情に鑑みてなしたもので、従来のシャツのデザインを変更せずに、肩部分の生地を一枚にして、涼しさを確保した上で、さらに首にあたる台えり部分にも涼しさを感じられるシャツを提供することを目的としている。
【課題を解決するための手段】
【０００６】  本考案は、外気温湿度の高い季節に涼感を得るためのシャツであって、肩部分を成すヨークを一枚の衣料生地で形成し、さらに首にあたる台えり部分に通気性が良く、衿元の汗等を吸収し易い性質のある芯地を用いたことを特徴とするシャツに係るものである。【０００７】  而して、このようにすれば、従来のシャツのデザインが維持されたまま、ヨークを一枚の衣料生地にすることにより、肩部分の通気性が改善されたシャツにおいて、台えりの肌触り感の向上により、涼しさが感じられることになる。
【考案の効果】
【０００８】  上記した本考案のシャツによれば、シャツの慣習的なデザインを生かしつつ肩部分の通気性を向上して外気温度の高い夏期などに涼感が得られるようにすることができ、さらに、首に直接あたる台えり部分の芯地を通気性が良く、衿元の汗等を吸水する性質の有する芯地にすることにより、衿元での涼感が感じられるという効果を奏し得る。
【考案を実施するための最良の形態】
【０００９】  以下本考案の実施の形態を図示例と共に説明する。【００１０】  図１は本考案の実施の形態の一例を示すもので、外気温湿度の高い季節に涼感を得るためのシャツ１に関し、肩部分を成すヨーク２を一枚の衣料生地で形成し、さらに首にあたる台えり３部分に通気性が良く、衿元の汗等を吸水し易い性質のある芯地３ｂを用いている。【００１１】  すなわち、衿回りの構造は、台えり表３ａ、台えり３の芯地３ｂ、台えり外３ｃ、衿羽根裏、衿羽根芯地、衿羽根表の６層構造になっており、上記のように、通気性を確保する観点からの発想では、究極すれば、台えり、衿羽根をそれぞれ１枚の生地でしなければならなくなり、又、仮にそれができるとしても、シャツにおいて、一番重要なポイントである衿の形状が確保されず、本末転倒になってしまう。【００１２】  そこで、当該衿元の構造には変更を加えず、衿元の涼しさを感じられるようにするという観点から、肌に一番近い台えり表３ａと台えり外３ｃに挟まれている芯地３ｂを通気性が良く、衿元の汗等を吸水し易い性質のある芯地に変更して、肌触りの良さを感じられるようにしたのが、本考案の趣旨である。【００１３】  すなわち、台えり３の形状保持の役割を果たす芯地３ｂに、通気性及び吸水性の機能を加えることにより、首もとの汗などを吸水し、通気性の高いことから、台えり３自体が湿った状態になりにくくなり、台えり３に触れる首等に、肌触りの良さが感じられる。【００１４】  而して、このようにすれば、ヨーク２が一枚の衣料生地で形成されることによりシャツ１の肩部分の通気性が確保され、シャツ１は従来のデザインを維持し、しかも、台えり３の芯地３ｂに通気性が良く、衿元の汗等を吸水する性質を有する芯地３ｂを採用することから、首廻りに涼感性が付加され涼しさを衿元でも感じられることになる。【００１５】  従って、上記形態例によれば、シャツ１の慣習的なデザインを生かしつつ肩部分の通気性の向上とともに、台えり３部分の涼感性の付加により、外気温湿度が高くシャツ着用時不快感を感じる夏期に快適な着用感が得られる。【００１６】  尚、本考案のシャツは、上述の形態例にのみ限定されるものではなく、本考案の要旨を逸脱しない範囲内において種々変更を加え得ることは勿論である。
【図面の簡単な説明】
【００１７】
【図１】本考案の実施する形態の一例を一部破断して示した斜視図である。
【図２】台えり部分を一部破断して示した斜視図である。
【符号の説明】
【００１８】    １    シャツ
２    ヨーク
３    台えり
３ａ  台えり表（首に直接あたる部分）
３ｂ  台えり芯地
３ｃ  台えり外
４    後身頃
５    衿
【図１】
0003130969.tif 000003
【図２】
0003130969.tif 000004
(57)【要約】      （修正有）【課題】収納時における長靴の出し入れを容易にし、型崩れを防ぐ。短靴の収納スペースも確保する。【解決手段】長靴ホルダー２を前後に回動することにより、長靴の出し入れが容易になる。また、長靴ホルダー２により、保管時の型崩れを防ぐ。また長靴ホルダー２を抜き取り、棚４を手前に倒すことにより、短靴の収納スペースもできる。【選択図】図１
0003130968.tif 000002
【実用新案登録請求の範囲】
【請求項１】
前後に回動し、左右にもスライドする長靴用のホルダーを備えた下駄箱。
【請求項２】
長靴用のホルダーを取り外すと、短靴用の下駄箱となる。長靴と短靴の組合せも可能な下駄箱。
【考案の詳細な説明】
【技術分野】
【０００１】本考案は、長靴と短靴を収納する下駄箱に関する。
【背景技術】
【０００２】従来の下駄箱では、長靴を収納する十分なスペースがなく、下駄箱以外の場所においたり、箱に入れたり、折り曲げたりして収納していた。
【考案の開示】
【考案が解決しようとする課題】
【０００３】しかしこれでは、長靴の型が崩れたり、素材の劣化の原因となるうえ出し入れも、容易いでない。しかし長靴専用下駄箱では、短靴の収納数が減ってしまう。
【課題を解決するための手段】
【０００４】そこで、前後に回動する長靴ホルダーに長靴を逆さにさすことにより、型崩れをふせぎ、出し入れを容易にする。【０００５】また長靴ホルダーを一部または全部を取り外して、短靴専用の収納にも長靴と短靴の両方の収納にも変更できる。
【考案の効果】
【０００６】よって、本考案の長靴ホルダーにより、型崩れをふせぎ、出し入れが容易になる。長靴ホルダーを抜き取り、短靴用の棚を手前に倒せば、通常の下駄箱と同じく短靴を収納できる。
【考案を実施するための最良の形態】
【０００７】本考案に係る下駄箱１は、図１に示すように、前後に回動する長靴ホルダーを備え、出し入れが容易であり、なおかつ、長靴ホルダーにより型崩れをふせぐ。長靴ホルダーは左右にも動かすことができるので、巾の狭い長靴の場合は、長靴ホルダーの数を増やして、収納数を増やすこともできる。長靴ホルダーを抜き取り、棚を手前に倒せば、短靴の収納もできる。
【図面の簡単な説明】
【０００８】
【図１】本考案に係る下駄箱の図面である。
【図２】一部長靴ホルダーを抜き取り短靴ようの棚をセットした図面。
【符号の説明】
【０００９】▲１▼  下駄箱本体
▲２▼  長靴ホルダー
▲３▼  バー
▲４▼  棚
【図１】
0003130968.tif 000003
【図２】
0003130968.tif 000004
【手続補正書】
【提出日】平成19年2月2日(2007.2.2)
【手続補正１】
【補正対象書類名】実用新案登録請求の範囲
【補正対象項目名】全文
【補正方法】変更
【補正の内容】
【実用新案登録請求の範囲】
【請求項１】
下駄箱本体（１）の両側面間に水平に設けられたバー（３）と、
前後に回動可能、かつ左右に可動に、前記バーに一部又は全部を取り外し可能に取り付けられた長靴ホルダー（２）とからなり、
前記長靴ホルダーに長靴が逆さにして収納される下駄箱。
【請求項２】
さらに、前記下駄箱本体（１）の背面部に取り付けられている棚（４）を備え、
前記バー（３）から前記長靴ホルダーを取り外した後、前記棚を水平位置へと前方に回動させることにより短靴が収納可能となる請求項１に記載の下駄箱。